(57)【要約】【課題】温度変化があっても、イメージセンサの位置精度を確保するとともに、煩雑な部品組立をなくして生産性を向上させることを可能にした画像読取装置及び画像形成装置を提供する。【解決手段】画像読取装置８０は、イメージセンサ７４を備えた回路基板８１と、この回路基板８１とは熱膨張係数の異なる材料からなり回路基板８１を保持する保持部材８５と、イメージセンサ７４上に光学像を結像させる結像レンズ７３を備え、保持部材８５は、ネジ８６が弾性ワッシャ８７を介して長孔８１ｄに挿入されネジ孔８５ｈに螺合されることにより、回路基板８１を光軸Ｚと垂直な方向に変位可能に保持する基板保持部８５ｇと、弾性部９０ａ、９１ｂによりイメージセンサ７４を光軸と垂直な方向に当接させるセンサ当接部８５ｅ、８５ｆとを備える。【選択図】図５
2009093061.tif 000002
【特許請求の範囲】
【請求項１】
イメージセンサを備えた回路基板と、前記回路基板を保持する保持部材と、前記イメージセンサ上に光学像を結像させる結像レンズを備えた画像読取装置において、
前記回路基板と前記保持部材を締め付ける締結部材と、前記結像レンズの光軸方向に付勢力を有する保持弾性部材と、光軸と垂直な方向に付勢力を有する第１弾性部材を備え、前記保持部材は、前記保持弾性部材と前記締結部材により前記回路基板を光軸と垂直な方向に変位可能に保持する基板保持部と、前記第１弾性部材により前記イメージセンサを光軸と垂直な方向に当接させるセンサ当接部とを備えることを特徴とする画像読取装置。
【請求項２】
前記イメージセンサは、長手方向に画素を配列する撮像素子を備えることを特徴とする請求項１に記載の画像読取装置。
【請求項３】
前記第１弾性部材は長手方向に付勢力を有して、前記センサ当接部は、前記第１弾性部材により前記イメージセンサを長手方向に当接させることを特徴とする請求項２に記載の画像読取装置。
【請求項４】
前記第１弾性部材は長手方向と垂直な方向に付勢力を有して、前記センサ当接部は、前記イメージセンサを前記第１弾性部材により長手方向と垂直な方向に当接させるとともに、光軸方向に付勢力を有する第２弾性部材を備え、前記第２弾性部材により光軸方向に当接させることを特徴とする請求項３に記載の画像読取装置。
【請求項５】
前記締結部材はネジであり、前記保持部材はネジ孔を備え、前記回路基板は長手方向に延在する長孔を備え、前記ネジが前記保持弾性部材を介して前記長孔と前記ネジ孔に装着されることを特徴とする請求項２〜請求項５のいずれかに記載の画像読取装置。
【請求項６】
前記保持部材と前記ネジ及び前記保持弾性部材は導電性を有する部材からなり、前記回路基板上の前記長孔の周りには回路パターンで形成されるグランド部が設けられていることを特徴とする請求項５に記載の画像読取装置。
【請求項７】
請求項１〜請求項６のいずれかに記載の画像読取装置が搭載された画像形成装置。
【発明の詳細な説明】
【技術分野】
【０００１】
本発明は、原稿を光学的に読み取る画像読取装置及びそれを備える複写機、ファクシミリ、プリンタ等の画像形成装置に関する。
【背景技術】
【０００２】
一般に、複写機やイメージスキャナのように原稿を光学的に読み取る画像読取装置においては、照明ランプによって得られる原稿からの反射光を、ＣＣＤ（Ｃｈａｒｇｅ  Ｃｏｕｐｌｅｄ  Ｄｅｖｉｃｅ）等の撮像素子を有するイメージセンサにより電気信号に変換して、原稿を読み取るようになっている。このイメージセンサを画像読取装置に実装する方法としては、例えば、特許文献１に記載されているように、まず、イメージセンサを板状の回路基板に実装し、この回路基板をブラケット等の保持部材にネジ等の締結部材で固着することにより、画像読取装置内に実装する方法が主流となっている。
【０００３】
ところで、画像読取装置においては、イメージセンサや回路基板上の実装部品等の発熱、周囲の環境の温度変化によって、内部の温度に変化が生じる。このように装置内部に温度変化が生じた場合、特許文献１に記載されているように、イメージセンサを実装した回路基板が保持部材に固着されていると、基板の回路層や基板の素材自身が収縮または膨張し、部材間の熱膨張係数の相違により回路基板に変形や撓みが生じてしまう。回路基板に変形や撓みが生じると、この変形や撓みに伴い、回路基板に実装されているイメージセンサがレンズの光軸方向に移動する。具体的には、回路基板上の実装部品等の発熱により温度が上昇すると、イメージセンサがレンズから離れる方向に回路基板が変形し、温度が低下すると、イメージセンサがレンズに近づく方向に回路基板が変形する傾向がある。このように回路基板が変形し、イメージセンサの位置が変化してしまうと、原稿からの反射光が正確にイメージセンサ上に結像せず、画質が劣化してしまうという問題が生じてしまう。
【０００４】
そこで、特許文献２では、このような回路基板の変形により、イメージセンサがレンズの光軸方向に移動することを防ぐために、イメージセンサを備えた回路基板が、その長手方向の一端側においてネジにより保持部材に固定され、その他端側においてネジと長孔により変位可能に保持部材に保持されている。このことにより、温度変化が生じた際に、回路基板が膨張、収縮すると、この膨張、収縮に伴い長孔が長手方向へ移動し、回路基板が撓むのを抑えることを可能しているので、イメージセンサがレンズの光軸方向へ移動するのを防いでいる。
【０００５】
しかしながら、近年、画像読取装置の小型化と画像読取の高精細化が必要になり、これらに伴い、イメージセンサを小型にして、イメージセンサの撮像素子を高画素していかなくてはならない。上述した従来技術では、温度変化による回路基板の膨張、収縮に対して、回路基板の長孔が長手方向へ移動するようにしているが、回路基板に設けたイメージセンサも長手方向に移動することになり、イメージセンサがレンズに対して結像面上で位置ズレを起こして、小型、高精細のイメージセンサでは、撮像素子の各画素から出力される読取画像に乱れが生じるという問題があった。
【０００６】
また、特許文献３では、イメージセンサや回路基板上の実装部品等の発熱、周囲の環境の温度変化に伴う膨張、収縮により、イメージセンサのレンズ光軸方向への移動を防ぐために、回路基板を保持部材に固定保持させて、保持部材の、その固定保持させた反対側の面で、弾性部材によりイメージセンサを光軸方向に付勢し押圧保持する構成としている。
【０００７】
しかしながら、上述した従来技術では、保持部材を回路基板とイメージセンサとの間に設ける構成であるために、複雑な組立を行うことになる。つまり、イメージセンサを弾性部材により保持部材に押圧保持して、次に回路基板を保持部材に対面させて、イメージセンサから伸びている端子を回路基板の穴に差し込み、ビス等により回路基板を保持部材に固定して、その後、固定保持されている回路基板より突出しているイメージセンサの端子を導電性のある接着部材により固定している。この構成では、イメージセンサを回路基板に電気的に接続させるために、イメージセンサ、回路基板等の電気部品の中に保持部材を介在させて組み立てることになり、電気部品の実装と機械部品の組立の工程が混在するために、組立実装が複雑になり、また回路基板の回路パターンの配置が制約されるという問題があった。
【０００８】
【特許文献１】特開平１０−２９４８２７号公報（段落［０００３］、図１５）
【特許文献２】特開２００５−１７６２６７号公報（段落［００２３］、図１、図３）
【特許文献３】特開２００２−１７１３８７号公報（段落［００２１］−［００２９］、図２）
【発明の開示】
【発明が解決しようとする課題】
【０００９】
本発明は、上記のような課題を解決するためになされたものであり、温度変化があっても、イメージセンサの位置精度を確保するとともに、煩雑な部品組立をなくして生産性を向上させることを可能にした画像読取装置及び画像形成装置を提供することを目的とする。
【課題を解決するための手段】
【００１０】
上記目的を達成するために本発明は、イメージセンサを備えた回路基板と、前記回路基板を保持する保持部材と、前記イメージセンサ上に光学像を結像させる結像レンズを備えた画像読取装置において、前記回路基板と前記保持部材を締め付ける締結部材と、前記結像レンズの光軸方向に付勢力を有する保持弾性部材と、光軸と垂直な方向に付勢力を有する第１弾性部材を備え、前記保持部材は、前記保持弾性部材と前記締結部材により前記回路基板を光軸と垂直な方向に変位可能に保持する基板保持部と、前記第１弾性部材により前記イメージセンサを光軸と垂直な方向に当接させるセンサ当接部とを備えることを特徴としている。
【００１１】
この構成によれば、装置の温度環境が変化して、部材の膨張、収縮があっても、イメージセンサが保持部材のセンサ当接部に当接した状態を維持しているために、回路基板が保持部材に対して光軸と垂直な方向に変位するのみで、イメージセンサが結像面上で位置ズレを起こすおそれがない。
【００１２】
また、この構成によれば、イメージセンサを実装した回路基板を締結部材と保持弾性部材により保持部材に保持させ、イメージセンサを保持部材に第１弾性部材を介して当接させるように組み立てるために、電気部品の実装と機械部品の組立を別工程で行うことになり、また、回路基板の回路パターンの配置が制約されるおそれがない。
【００１３】
また、請求項２の発明において、前記イメージセンサは、長手方向に画素を配列する撮像素子を備えることを特徴としている。この構成によれば、装置の温度環境が変化すると、回路基板が長手方向に膨張、収縮する。
【００１４】
また、請求項３の発明において、前記第１弾性部材は長手方向に付勢力を有して、前記センサ当接部は、前記第１弾性部材により前記イメージセンサを長手方向に当接させることを特徴としている。この構成によれば、温度変化により部材の膨張、収縮があっても、イメージセンサが保持部材のセンサ当接部に当接した状態を維持しているために、回路基板が保持部材に対して長手方向に変位するのみで、イメージセンサが長手方向で位置ズレを起こすおそれがない。
【００１５】
また、請求項４の発明において、前記第１弾性部材は長手方向と垂直な方向に付勢力を有して、前記センサ当接部は、前記イメージセンサを前記第１弾性部材により長手方向と垂直な方向に当接させるとともに、光軸方向に付勢力を有する第２弾性部材を備え、前記第２弾性部材により光軸方向に当接させることを特徴としている。この構成によれば、温度変化により部材の膨張、収縮があっても、イメージセンサが保持部材のセンサ当接部に当接した状態を維持しているために、回路基板が保持部材に対して長手方向と垂直な方向に変位するのみで、イメージセンサが長手方向と垂直な方向に位置ズレを起こすおそれがない。また、部材の膨張、収縮により、回路基板が撓んでも、イメージセンサが保持部材のセンサ当接部に当接した状態を維持しているために、イメージセンサが光軸方向へ移動するおそれがない。
【００１６】
また、請求項５の発明において、前記締結部材はネジであり、前記基板保持部はネジ孔を備え、前記回路基板は長手方向に延在する長孔を備え、前記ネジが前記保持弾性部材を介して前記長孔と前記ネジ孔に装着されることを特徴としている。この構成によれば、回路基板が保持部材に光軸と垂直な方向に変位可能に保持される。
【００１７】
また、請求項６の発明において、前記保持部材と前記ネジ及び前記保持弾性部材は導電性を有する部材からなり、前記回路基板上の前記長孔の周りには回路パターンで形成されるグランド部が設けられていることを特徴としている。この構成によれば、グランド部が、弾性ワッシャ、ネジを介して、保持部材に電気的に接続される。
【００１８】
また、本発明は、上記の構成の画像読取装置が搭載された画像形成装置である。
【発明の効果】
【００１９】
請求項１に記載の発明によれば、装置の温度環境が変化して、部材の膨張、収縮があっても、イメージセンサが保持部材のセンサ当接部に当接した状態を維持しているために、回路基板が保持部材に対して光軸と垂直な方向に変位するのみで、イメージセンサが結像面上で位置ズレを起こすおそれがないので、イメージセンサの位置精度を確保することができる。
【００２０】
また、請求項１に記載の発明によれば、イメージセンサを実装した回路基板を締結部材と保持弾性部材により保持部材に保持させ、イメージセンサを保持部材に第１弾性部材を介して当接させるように組み立てるために、電気部品の実装と機械部品の組立を別工程で行うことになり、複雑な組立工程になるおそれがない。また、回路基板の回路パターンの配置が制約されるおそれがない。
【００２１】
また、請求項２に記載の発明によれば、装置の温度環境が変化すると、回路基板が長手方向に膨張、収縮するが、イメージセンサが長手方向で位置ズレを起こすおそれがない。
【００２２】
また、請求項３に記載の発明によれば、温度変化により部材の膨張、収縮があっても、イメージセンサが保持部材のセンサ当接部に当接した状態を維持しているために、回路基板が保持部材に対して長手方向に変位するのみで、イメージセンサが長手方向で位置ズレを起こすおそれがないので、撮像素子の画素配列方向においてイメージセンサの位置精度を確保することができる。
【００２３】
また、請求項４に記載の発明によれば、温度変化により部材の膨張、収縮があっても、イメージセンサが保持部材のセンサ当接部に当接した状態を維持しているために、回路基板が保持部材に対して長手方向と垂直な方向に変位するのみで、イメージセンサが長手方向と垂直な方向に位置ズレを起こすおそれがなく、イメージセンサの位置精度を確保することができる。また、温度変化により部材の膨張、収縮により、回路基板が撓んでも、イメージセンサが保持部材のセンサ当接部に当接した状態を維持しているために、イメージセンサが光軸方向へ移動するおそれがないので、結像レンズの光学像が正確にイメージセンサ上に結像する。
【００２４】
また、請求項５に記載の発明によれば、ネジが保持弾性部材を介して長孔とネジ孔に装着されることにより、簡単な構成により、回路基板を光軸と垂直な方向に変位可能に保持部材に保持するように簡単に組み立てることができる。
【００２５】
また、請求項６に記載の発明によれば、グランド部が、弾性ワッシャ、ネジを介して、保持部材に電気的に接続され、回路基板から発生するノイズを低減させることができる。
【００２６】
また、請求項７に記載の発明によると、画像形成装置において、上記の画像読取装置を備えるようにすれば、温度変化があっても、イメージセンサの位置精度を確保するとともに、煩雑な部品組立をなくして生産性を向上させることを可能にした画像形成装置を提供することができる。
【発明を実施するための最良の形態】
【００２７】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００２８】
図１は、本発明の実施形態である画像形成装置を示す断面図である。画像形成装置１００は、装置本体の下部に配設された給紙部１と、この給紙部１の右方および上方に配設された用紙搬送部２と、この用紙搬送部２の上方に配設された画像形成部３と、この画像形成部３よりも用紙搬送方向下流側に配設された定着部４と、これらの画像形成部３および定着部４の上方に配設された画像読取部５と、この画像読取部５の上方に配設された原稿給送部６とを備えている。なお、画像読取部５は、本発明の画像読取装置の一例である。
【００２９】
給紙部１は、装置本体に対して挿脱自在に装着された給紙カセット１１に積層載置された用紙の束を、円弧外周部を有する給紙ローラ１２の回転動作によって給紙カセット１１の出口側（図１では右側）に送り出すとともに、各給紙カセット１１の右端上部に設けられた捌き部１３によって捌くことにより、最上位置の用紙から１枚ずつ確実に用紙搬送部２に給紙するようになっている。
【００３０】
用紙搬送部２は、給紙部１から給紙された用紙を、搬送ローラ対２１およびレジストローラ対２２によって画像形成部３に向けて搬送し、さらに、画像形成部３から定着部４において画像形成が施された用紙を排出ローラ対２３によって排出トレイ２４上に排出するようになっている。
【００３１】
画像形成部３は、電子写真プロセスによって、用紙に所定のトナー像を形成するものであり、回転可能に軸支された光導電性を有する感光体ドラム３１と、この感光体ドラム３１の周囲に配設される帯電ユニット３２、露光ユニット３３、現像ユニット３４、転写ユニット３５、クリーナ３６および除電ユニット３７とを備えている。
【００３２】
帯電ユニット３２は、高電圧が印加される帯電ワイヤを備え、この帯電ワイヤからのコロナ放電によって感光体ドラム３１の表面に所定電位を与えるものである。露光ユニット３３は、後述する画像読取部５によって読み取られた原稿の画像データに基づいてレーザ発光器から出力されるレーザ光を、ポリゴンミラーおよび反射鏡を介して感光体ドラム３１に照射することにより、感光体ドラム３１表面の電位を選択的に減衰させて、この感光体ドラム３１の表面に静電潜像を形成するものである。現像ユニット３４は、上記静電潜像をトナーにより現像して、感光体ドラム３１の表面にトナー像を形成するものである。転写ユニット３５は、感光体ドラム３１の表面のトナー像を用紙に転写するものである。クリーナ３６は、転写後の感光体ドラム３１の表面に残留しているトナーを除去するものである。除電ユニット３７は、感光体ドラム３１の表面の残留電荷を除去するものである。
【００３３】
定着部４は、画像形成部３においてトナー像が転写された用紙を、加熱ローラ４１と加圧ローラ４２とによって挟んで加熱し、用紙上にトナー像を定着させるものである。
【００３４】
原稿給送部６は、コピー（複写）開始の指示入力などに応答して、原稿トレイ６１上に載置された原稿を自動的に１枚ずつ搬送するとともに、原稿の露光走査後に原稿排出トレイ（図示略）上へ排出させる、いわゆるシートスルータイプの原稿読み取りを行うものである。
【００３５】
画像読取部５は、原稿給送部６によって移送される原稿やコンタクトガラス上に載置された原稿に光を照射して、その反射光を電気信号に変換することにより原稿の画像情報を読み取るとともに、その原稿画像に対応する画像データを生成するものである。
【００３６】
図２は、画像形成装置の画像読取部を示す概略断面図である。画像読取部５は、原稿Ｐを載置させるコンタクトガラス８と、原稿Ｐの画像情報を読み取り、読み取った原稿Ｐの画像から画像データを生成するスキャナ部７等で構成される。
【００３７】
スキャナ部７は、このスキャナ部７の上部に配設された第１移動キャリッジ７１と、第１移動キャリッジ７１の左方に配設された第２移動キャリッジ７２と、スキャナ部７の下部の適所に配設された撮像ユニット８０等で構成される。
【００３８】
第１移動キャリッジ７１および第２移動キャリッジ７２は、走査機構部（図示略）に接続されており、この走査機構部が所定の速度で図２示す矢印方向（左右方向）に移動することにより、コンタクトガラス８上に載置された原稿Ｐの全面を走査し、原稿全面の画像情報を読み取ることが可能なようになっている。
【００３９】
第１移動キャリッジ７１は、走査機構部に接続された枠体７５と、コンタクトガラス８上に載置された原稿Ｐに光を照射する露光ランプ等の光源７６と、コンタクトガラス８からの光を第２移動キャリッジ７２に向けて反射する反射ミラー７８とを含んでいる。
【００４０】
第２移動キャリッジ７２は、上下方向に対向して配設された一対の反射ミラー７２ａ、７２ｂを備えており、第１移動キャリッジ７１の反射ミラー７８からの光を反射ミラー７２ａ、７２ｂで順次反射させて撮像ユニット８０へと導く。
【００４１】
撮像ユニット８０は、結像レンズ７３と、結像レンズ７３の右方に配設されたイメージセンサ７４等で構成される。
【００４２】
結像レンズ７３は、第２移動キャリッジ７２の反射ミラー７２ｂを介して入射した原稿Ｐからの反射光を結像させるために、複数のレンズを有しており、撮像ユニット８０の所定の位置に固定される。
【００４３】
イメージセンサ７４は、結像レンズ７３の光軸Ｚ上に長手方向（図２では紙面奥行き方向）に配列されたＣＣＤ等の撮像素子を有し、結像レンズ７３により撮像素子上に結像された原稿Ｐの光学像を電気信号に変換する。
【００４４】
以上のように構成された画像読取部５では、光源７６によって光がコンタクトガラス８に照射され、コンタクトガラス８上の原稿Ｐからの反射光が第１移動キャリッジ７１の反射ミラー７８で反射され、その反射光が第２移動キャリッジ７２の反射ミラー７２ａ、７２ｂで順次反射され、結像レンズ７３を介して原稿Ｐの光学像がイメージセンサ７４上に結像される。これにより、原稿Ｐの一部が読み取られる。そして、第１移動キャリッジ７１および第２移動キャリッジ７２が所定の速度で移動することにより、原稿Ｐの全面を走査し、原稿Ｐ全面が読み取られて、読取画像が形成される。
【００４５】
次に、撮像ユニット８０を詳細に説明する。図３は、撮像ユニットを示す斜視図である。
【００４６】
図３に示すように、撮像ユニット８０は、原稿Ｐからの反射光を結像させる結像レンズ７３と、原稿Ｐの画像を読み取るイメージセンサ７４と、イメージセンサ７４を実装した回路基板８１と、イメージセンサ７４と回路基板８１とを保持する保持部材８５と、保持部材８５を保持するブラケット７８を備えている。
【００４７】
結像レンズ７３は、複数のレンズと、それらのレンズを固定保持する鏡枠を備え、Ｌ字状の金属板で形成されたレンズブラケット７８ａに固着される。このレンズブラケット７８ａは、基台７８ｂの所定の位置に固定され、レンズブラケット７８ａの立壁部には開口が設けられて（図示略）、結像レンズ７３からの光がイメージセンサ７４で受光されるようになっている。
【００４８】
保持部材８５は、逆Ｌ字状の金属板で形成され、イメージセンサ７４を実装した回路基板８１を保持する。また、保持部材８５は、その上方で２個のネジ９１により、金属板で形成されたセンサブラケット７８ｃに固定保持されている。このセンサブラケット７８ｃは、結像レンズ７３とイメージセンサ７４が結像関係になるように、基台７８ｂの所定の位置に固定される。なお、センサブラケット７８ｃには、イメージセンサ７４より大きい矩形の開口７８ｃ１が設けられて、結像レンズ７３からの光がイメージセンサ７４で受光されるようになっている。
【００４９】
図４は、イメージセンサが実装される回路基板を結像レンズ側から見た斜視図である。回路基板８１は、例えば板状の樹脂材料で形成されている。回路基板８１上には、銅箔を用いて形成された回路パターンが設けられており、イメージセンサ７４がこの回路基板８１の略中央で回路パターン上に実装され、またイメージセンサ７４を駆動するための電子部品（図示略）がこの回路パターン上に実装されている。この回路基板８１には、ネジ等の締結部材により回路基板８１を保持部材８５に保持するための２個の長孔８１ｄが設けられている。２個の長孔８１ｄは、図４に示す長手方向Ｘに長い孔となっており、２個の長孔８１ｄの長手方向Ｘとイメージセンサ７４の長手方向Ｘが一致するように設けられ、またイメージセンサ７４の長手方向Ｘの両側に並列して設けられている。なお、２個の長孔８１ｄの形状は図４に示した形状に限定されるものではなく、例えば矩形であってもよい。
【００５０】
イメージセンサ７４は、結像レンズ７３からの光を受光するＣＣＤ等の撮像素子の画素が長手方向Ｘに配設されたラインセンサを備えており、撮像素子以外の部分は、例えば、セラミック材または合成樹脂からなるパッケージにより覆われている。また、イメージセンサ７４には、電気信号を出力し、ＣＣＤを駆動するための駆動信号を受取るための端子７４ａが設けられており、この端子７４ａを回路基板８１に半田付けすることにより、回路基板８１に実装される。
【００５１】
図５は、回路基板を保持部材に取り付けた状態を示す結像レンズ側から見た斜視図である。保持部材８５は、金属板に略逆Ｌ字形状に曲げ加工等の板金加工を施して形成された部材である。この保持部材８５には、ネジ等の締結部材を用いて回路基板８１を保持するために、保持部材８５の長手方向Ｘの両端部近傍には、２個のネジ孔８５ｈが設けられている。また、保持部材８５には、イメージセンサ７４を導く開口８５ｂが保持部材８５の略中央に設けられ、その開口８５ｂの長手方向Ｘの両側近傍には、２個の開口８５ｃが設
けられている。
【００５２】
保持部材８５の、開口８５ｂと２個の開口８５ｃとの間の２箇所の面が、それぞれセンサ当接面８５ｄを形成して、各センサ当接面８５ｄが光軸Ｚ方向の受光面側にてイメージセンサ７４のパッケージに当接する。一方の開口８５ｃ（図５では右の開口）には、折り曲げ部が設けられ、この折り曲げ部の端面においてセンサ当接部８５ｅが形成される。このセンサ当接部８５ｅが長手方向Ｘにてイメージセンサ７４のパッケージに当接する。また、開口８５ｂの上側には、センサ当接部８５ｆとしての２個の突出部が設けられ、この各センサ当接部８５ｆがイメージセンサ７４のパッケージに当接する。
【００５３】
保持部材８５には、板バネ８９、９０が各開口８５ｃの近傍に設けられ、板バネ９１が開口８５ｂの下方に設けられ、各板バネ８９〜９１が位置決めピンとネジ等により保持部材８５に固定保持される。
【００５４】
板バネ８９には、光軸Ｚ方向に付勢力を有する２個の弾性部８９ｃが形成され、各弾性部８９ｃは、開口８５ｃから保持部材８５の裏側（図５では紙面奥行き側）に延び、その付勢力により、イメージセンサ７４のパッケージを当接面８５ｄに弾性的に当接させている。図６は、その当接状態を示す斜視図であり、イメージセンサ７４の端子７４ａが回路基板８１に電気的に接続されるときに、イメージセンサ７４と回路基板８１との間に隙間を形成しておき、各弾性部８９ｃは、その隙間に配されてイメージセンサ７４のパッケージに当接している。
【００５５】
図５に示すように、板バネ９０には、光軸Ｚ方向に付勢力を有する２個の弾性部９０ｃと、２個の弾性部９０ｃの間に長手方向Ｘに付勢力を有する弾性部９０ａが形成される。２個の弾性部９０ｃは、開口８５ｃから保持部材８５の裏側（図５では紙面奥行き側）に延び、その付勢力により、イメージセンサ７４のパッケージを当接面８５ｄに弾性的に当接させている。弾性部９０ａは、その付勢力により、イメージセンサ７４のパッケージを当接面８５ｅに弾性的に当接させている。図７は、その当接状態を示す斜視図であり、各弾性部９０ｃは、イメージセンサ７４と回路基板８１との間に形成される隙間に配され、イメージセンサ７４のパッケージに当接して、弾性部９０ｃはイメージセンサ７４のパッケージ側面に当接している。
【００５６】
図５に示すように、板バネ９１は、イメージセンサ７４の上下方向に付勢力を有する弾性部９１ｂが形成され、弾性部９１ｂは、その付勢力により、イメージセンサ７４のパッケージを２個の当接面８５ｆに弾性的に当接させている。なお、弾性部９０ａ、９１ｂが第１弾性部材を構成し、弾性部８９ｃ、９０ｃが第２弾性部材を構成する。
【００５７】
図８は、回路基板を締結部材により保持部材に保持する構成を示す断面図である。回路基板８１は、図５に示す紙面奥行き側から装着される締結部材８６により、保持部材８５に弾性的に保持される。
【００５８】
締結部材としてのネジ８６は、ネジ山が切られているネジ部８６ａと、ネジ部８６ａより外径が大きい段部８６ｂと、ドライバー用のすりわりを有する頭部８６ｃを備える。ネジ部８６ａは、保持部材８５のネジ孔８５ｈに螺合して、回路基板８１が保持部材８５に保持される。段部８６ｂは、その外径が回路基板８１の長孔８１ｄ内で、温度変化により部材の膨張、収縮があっても、回路基板８１と保持部材８５との間で長手方向Ｘに変位可
能な大きさであり、その高さ（図８では上下方向）が回路基板８１の厚みより大きくなっていて、弾性ワッシャ８７と座金８８を回路基板８１と頭部８６ｃとの間に挟むことが可能になっている。なお、長手方向Ｘと垂直な方向では、長孔８１ｄの幅が段部８６ｂの外
径より大きくされ、長孔８１ｄと段部８６ｂとの間には隙間が設けられているために、温度変化により部材の膨張、収縮がっても、回路基板８１と保持部材８５との間で長手方向Ｘと垂直な方向に変位可能になっている。
【００５９】
弾性ワッシャ８７は、その断面が波型形状をして、回路基板８１に接触した座金８８とネジ８６の頭部８６ｃとの間で段部８６ｂに嵌め込まれて、ネジ８６が保持部材８５のネジ孔８５ｈに螺合されると、光軸Ｚ方向に付勢力を作用させる。この付勢力により、回路基板８１は、保持部材８５の回路基板８１と接する基板保持部８５ｇに弾性的に保持される。そして、この付勢力は、ネジ８６の段部８６ｂの高さと弾性ワッシャ８７の弾性力より所定の強さに設定されているために、温度変化により部材の膨張、収縮があっても、回路基板８１と保持部材８５との間で、光軸Ｚと垂直な方向に変位可能となる。なお、弾性ワッシャ８７は、保持弾性部材を構成し、その断面が波型形状に替えて、皿形、円弧形等、光軸Ｚ方向に付勢力を作用させるものであればよい。また、座金８８は弾性ワッシャ８７によりネジ締め付け力が安定する場合には、省くこともできる。
【００６０】
回路基板８１上には、グランド部８１ａが、長孔８１ｄの周りに銅箔を用いて形成され、グランド部８１ａがイメージセンサ７４、及びその駆動電子部品等を実装した回路パターンと接続される。このグランド部８１ａは、ネジ８６により回路基板８１と金属材で形成される座金８８とに圧接される部分に設けられるために、グランド部８１ａが、座金８８、弾性ワッシャ８７、ネジ８６を介して、保持部材８５に電気的に接続され、回路基板８１から発生するノイズが低減される。
【００６１】
イメージセンサ７４を実装した回路基板８１を保持部材８５に取り付ける際には、図５に示すように、まず、イメージセンサ７４を保持部材８５の開口８５ｂに合わせてから、回路基板８１を保持部材８５に対面させて当てつけると、各長孔８１ｄが各ネジ孔８５ｈに対向する。
【００６２】
次に、図８に示すように、各長孔８１ｄが各ネジ孔８５ｈに対向した状態で、回路基板８１上の長孔８１ｄに座金８８、弾性ワッシャ８７を置いて、ネジ８６の段部８６ｂを長孔８１ｄに挿入し、段部８６ｂが保持部材８５の基板保持部８５ｇに当接するまで、ネジ部８６ａを保持部材８５のネジ孔８５ｈに螺合させると、弾性ワッシャ８７の付勢力により、回路基板８１は、保持部材８５の基板保持部８５ｇに弾性的に保持される。
【００６３】
次に、図５に示すように、板バネ９０をネジ等により保持部材８５に取り付けると、イメージセンサ７４は、弾性部９０ａの付勢力によりセンサ当接部８５ｅに弾性的に当接するとともに、弾性部９０ｃの付勢力により左方のセンサ当接部８５ｄに弾性的に当接する。次に、板バネ８９をネジ等により保持部材８５に取り付けると、イメージセンサ７４は、弾性部８９ｃの付勢力により右方のセンサ当接部８５ｄに弾性的に当接する。これにより、イメージセンセ７４は、保持部材８５に長手方向Ｘに弾性的に当接し、また光軸Ｚ方向に弾性的に当接することになる。次に、板バネ９１をネジ等により保持部材８５に取り付けると、イメージセンサ７４は、弾性部９１ｂの付勢力により各センサ当接部８５ｆに弾性的に当接する。これにより、イメージセンセ７４は、保持部材８５にその上下方向に弾性的に当接することになる。
【００６４】
上記のように回路基板８１が保持部材８５に取り付けられると、装置の温度環境が変化して、部材の膨張、収縮があっても、イメージセンサ７４が保持部材８５の各センサ当接部８５ｅ、８５ｆに当接した状態を維持しているために、回路基板８１が保持部材８５に対して、長手方向Ｘまたは回路基板８１の上下方向等の光軸Ｚと垂直な方向に変位するのみで、イメージセンサ７４が結像面上で位置ズレを起こすおそれがない。また、温度変化により部材の膨張、収縮により、回路基板８１が撓んでも、イメージセンサ７４が保持部材８５の各センサ当接部８５ｄに当接した状態を維持しているために、イメージセンサ７４が光軸Ｚ方向へ移動するおそれがない。
【００６５】
上記実施形態によれば、画像読取装置８０は、イメージセンサ７４を備えた回路基板８１と、この回路基板８１とは熱膨張係数の異なる材料からなり回路基板８１を保持する保持部材８５と、イメージセンサ７４上に光学像を結像させる結像レンズ７３を備える。また、画像読取装置８０は、回路基板８１と保持部材８５を締め付けるネジ８６と、結像レンズ７３の光軸Ｚ方向に付勢力を有する弾性ワッシャ８７と、光軸Ｚと垂直な方向に付勢力を有する弾性部９０ａ、９１ｂを備え、保持部材８５は、ネジ８６が弾性ワッシャ８７を介して長孔８１ｄに挿入されネジ孔８５ｈに螺合されることにより、回路基板８１を光軸Ｚと垂直な方向に変位可能に保持する基板保持部８５ｇと、弾性部９０ａ、９１ｂによりイメージセンサ７４を光軸Ｚと垂直な方向に当接させるセンサ当接部８５ｅ、８５ｆとを備える。
【００６６】
この構成によれば、装置の温度環境が変化して、部材の膨張、収縮があっても、イメージセンサ７４が保持部材８５の各センサ当接部８５ｅ、８５ｆに当接した状態を維持しているために、回路基板８１が保持部材８５に対して、長手方向Ｘまたは長手方向Ｘと垂直な方向等の光軸Ｚと垂直な方向に変位するのみで、イメージセンサ７４が結像面上で位置ズレを起こすおそれがないので、イメージセンサ７４の位置精度を確保することができる。
【００６７】
また、この構成によれば、イメージセンサ７４を実装した回路基板８１をネジ８６と弾性ワッシャ８７により保持部材８５に保持させ、イメージセンサ７４を保持部材８５に各弾性部９０ａ、９１ｂを有する各板バネ９０、９１を介して当接させるように組み立てるために、電気部品の実装と機械部品の組立を別工程で行うことになり、複雑な組立工程になるおそれがない。また、回路基板８１の回路パターンの配置が制約されるおそれがない。
【００６８】
また、この構成によれば、ネジ８６が弾性ワッシャ８７を介して長孔８１ｄとネジ孔８５ｈに装着されることにより、簡単な構成により、回路基板８１を保持部材８５に光軸Ｚと垂直な方向に変位可能に保持するように簡単に組み立てることができる。
【００６９】
また、上記実施形態によれば、イメージセンサ７４は、長手方向Ｘに画素を配列する撮像素子を備え、弾性部９０ｃは長手方向Ｘに付勢力を有して、センサ当接部８５ｅは、弾性部９０ｃによりイメージセンサ７４を長手方向Ｘに当接させることによって、温度変化により部材の膨張、収縮があっても、イメージセンサ７４が保持部材８５のセンサ当接部８５ｅに当接した状態を維持している。このために、回路基板８１が保持部材８５に対して、長手方向Ｘに変位するのみで、イメージセンサ７４が長手方向Ｘで位置ズレを起こすおそれがないので、撮像素子の画素配列方向において、イメージセンサ７４の位置精度を確保することができる。
【００７０】
また、上記実施形態によれば、光軸Ｚ方向に付勢力を有する弾性部９０ｃを備え、弾性部９１ｂは長手方向Ｘと垂直な方向に付勢力を有して、センサ当接部８５ｆはイメージセンサ７４を弾性部９１ｂにより長手方向Ｘと垂直な方向に当接させるとともに、センサ当接部８５ｄは弾性部９０ｃにより光軸Ｚ方向に当接させている。このことによって、温度変化により部材の膨張、収縮があっても、イメージセンサ７４が保持部材８５のセンサ当接部８５ｆに当接した状態を維持しているために、回路基板８１が保持部材８５に対して、長手方向Ｘと垂直な方向に変位するのみで、イメージセンサ７４が長手方向Ｘと垂直な方向に位置ズレを起こすおそれがなく、イメージセンサ７４の位置精度を確保することができる。また、部材の膨張、収縮により、回路基板８１が撓んでも、イメージセンサ７４が保持部材８５のセンサ当接部８５ｄに当接した状態を維持しているために、イメージセンサ７４が光軸Ｚ方向へ移動するおそれがないので、結像レンズ７３の光学像が正確にイメージセンサ７４上に結像する。
【００７１】
また、上記実施形態によれば、保持部材８５とネジ８６及び弾性ワッシャ８７は、導電性を有する部材からなり、回路基板８１上の長孔８１ｄの周りには回路パターンで形成されるグランド部８１ａが設けられていることによって、グランド部８１ａが、弾性ワッシャ８７、ネジ８６を介して、保持部材８５に電気的に接続され、回路基板８１から発生するノイズを低減させることができる。
【００７２】
また、上記実施形態によると、画像形成装置１００において、上記の画像読取装置８０を備えるようにすれば、温度変化があっても、イメージセンサ７４の位置精度を確保するとともに、煩雑な部品組立をなくして生産性を向上させることを可能にした画像形成装置１００を提供することができる。
【産業上の利用可能性】
【００７３】
本発明は、原稿を光学的に読み取る画像読取装置及びそれを備える複写機、ファクシミリ、プリンタ等の画像形成装置に利用することができる。
【図面の簡単な説明】
【００７４】
【図１】は、本発明の実施形態である画像形成装置を示す断面図である。
【図２】は、本発明の実施形態である画像形成装置の画像読取部を示す概略断面図である。
【図３】は、本発明の実施形態である画像読取部の撮像ユニットを示す斜視図である。
【図４】は、本発明の実施形態である画像読取部の回路基板を示す斜視図である。
【図５】は、本発明の実施形態である画像読取部の保持部材に回路基板を取り付けた状態を示す斜視図である。
【図６】は、本発明の実施形態である画像読取部のイメージセンサに第１弾性部材を当接させる状態を示す斜視図である。
【図７】は、本発明の実施形態である画像読取部のイメージセンサに第１及び第２弾性部材を当接させる状態を示す斜視図である。
【図８】は、本発明の実施形態である画像読取部の締結部材により回路基板を保持部材に保持する状態を示す断面図である。
【符号の説明】
【００７５】
５    画像読取部（画像読取装置）
７３    結像レンズ
７４    イメージセンサ
７８    ブラケット
８０    撮像ユニット
８１    回路基板
８１ａ    グランド部
８１ｄ    長孔
８５    保持部材
８５ｂ、８５ｃ    開口
８５ｄ、８５ｅ、８５ｆ    センサ当接部
８５ｇ    基板保持部
８５ｈ    ネジ孔
８６    ネジ（締結部材）
８７    弾性ワッシャ（保持弾性部材）
８８    座金
８９、９０、９１  板バネ
８９ｃ、９０ｃ  弾性部（第２弾性部材）
９０ａ、９１ｂ  弾性部（第１弾性部材）
１００    画像形成装置
【図１】
2009093061.tif 000003
【図２】
2009093061.tif 000004
【図３】
2009093061.tif 000005
【図４】
2009093061.tif 000006
【図５】
2009093061.tif 000007
【図６】
2009093061.tif 000008
【図７】
2009093061.tif 000009
【図８】
2009093061.tif 000010